(57)【要約】  【課題】  排水主管と排水管との接続作業を床上から簡単に行うことができる管継手を提供する。  【解決手段】  基礎５２に配設されて垂直に立ち上がった床下の排水主管１２と、床上に設置される水回り設備５３の排水管１３とを接続する管継手１１を、排水主管１２の上端部に装着される硬質材料からなる排水主管装着部材１４と、排水管１３の下端部を保持する弾性材料からなる排水管接続部材１５とで形成する。排水主管装着部材１４は、排水主管１２の上端部に装着される小径筒部１４ａと、小径筒部１４ａの上部に拡開筒部１４ｂを介して連設された大径筒部１４ｃとを有する。排水管接続部材１５は、大径筒部１４ｃに装着される装着筒１５ａと、排水管１３の下端部が挿入される保持筒１５ｂと、保持筒１５ｂと装着筒１５ａとを連結し、床下上下方向に伸縮可能な環状の弾性伸縮部１５ｃとを備えている。【選択図】  図１
2006329285.tif 000002
【特許請求の範囲】
【請求項１】
基礎に配設されて垂直に立ち上がった床下の排水主管と、床上に設置される水回り設備の排水管とを接続する管継手において、前記管継手は、前記排水主管の上端部に装着される硬質材料からなる排水主管装着部材と、前記排水管の下端部を保持する弾性材料からなる排水管接続部材とを備え、前記排水主管装着部材は、前記排水主管の上端部に装着される小径筒部と、該小径筒部の上部に拡開筒部を介して連設された大径筒部とを有し、前記排水管接続部材は、前記大径筒部に装着される装着筒と、前記排水管の下端部が挿入される保持筒と、該保持筒と前記装着筒とを連結し床下上下方向に伸縮可能な環状の弾性伸縮部とを備えていることを特徴とする管継手。
【請求項２】
前記弾性伸縮部は、前記保持筒に連続して設けた保持筒側弾性部の先端に形成したラッパ状の拡径部と、前記装着筒に連続して設けた装着筒側弾性部の先端に形成したラッパ状の拡径部とを連結して形成され、前記弾性伸縮部の短縮時には、前記保持筒側弾性部が前記装着筒側弾性部の内周面に沿うように弾性変形し、前記保持筒側弾性部が前記装着筒側弾性部の内側に収容されるとともに、弾性変形した前記保持筒側弾性部の内側に前記保持筒が収容されることを特徴とする請求項１記載の管継手。
【発明の詳細な説明】
【技術分野】
【０００１】
本発明は、管継手に関し、詳しくは、床下に配設される排水主管と床上に設置される水回り設備の排水管とを接続するための管継手に関する。
【背景技術】
【０００２】
一般に、基礎に配設された床下の排水主管と建物に設置される水回り設備の排水管との接続は、建物の床を形成した後、床上に設置した洗面台等の水回り設備の排水管と、あらかじめ床下に配設した排水主管とを床下で接続することにより行われている（例えば、特許文献１参照。）。
【特許文献１】特開平１１−２０１３２２号公報
【発明の開示】
【発明が解決しようとする課題】
【０００３】
しかし、排水主管と排水管との接続作業を床下で行う場合は、作業スペースの確保が困難で、多大な手間や労力を要するという問題があった。
【０００４】
そこで本発明は、排水主管と排水管との接続作業を床上から簡単に行うことができる管継手を提供することを目的としている。
【課題を解決するための手段】
【０００５】
上記の目的を達成するため本発明は、基礎に配設されて垂直に立ち上がった床下の排水主管と、床上に設置される水回り設備の排水管とを接続する管継手において、前記管継手は、前記排水主管の上端部に装着される硬質材料からなる排水主管装着部材と、前記排水管の下端部を保持する弾性材料からなる排水管接続部材とを備え、前記排水主管装着部材は、前記排水主管の上端部に装着される小径筒部と、該小径筒部の上部に拡開筒部を介して連設された大径筒部とを有し、前記排水管接続部材は、前記大径筒部に装着される装着筒と、前記排水管の下端部が挿入される保持筒と、該保持筒と前記装着筒とを連結し床下上下方向に伸縮可能な環状の弾性伸縮部とを備えていることを特徴としている。
【０００６】
また、前記弾性伸縮部は、前記保持筒に連続して設けた保持筒側弾性部の先端に形成したラッパ状の拡径部と、前記装着筒に連続して設けた装着筒側弾性部の先端に形成したラッパ状の拡径部とを連結して形成され、前記弾性伸縮部の短縮時には、前記保持筒側弾性部が前記装着筒側弾性部の内周面に沿うように弾性変形し、前記保持筒側弾性部が前記装着筒側弾性部の内側に収容されるとともに、弾性変形した前記保持筒側弾性部の内側に前記保持筒が収容されるようにしても良い。
【発明の効果】
【０００７】
本発明の管継手は、あらかじめ排水主管の上端部に装着した管継手の弾性伸縮部を伸長させて保持筒を床上に配置し、該保持筒内に排水管の下端部を挿入した後、排水管を弾性伸縮部を短縮させながら排水主管装着部材側に押し込むだけの作業で、排水主管と排水管とを管継手を介して床下で接続させることができる。また、排水主管装着部材の上部に拡開筒部を介して大径筒部を設けるとともに、該大径筒部に装着される排水管接続部材の装着筒と、排水管の下端部が挿入される保持筒とを環状の弾性伸縮部を介して連結しているので、排水主管と排水管の軸線がずれていても、弾性伸縮部が弾性変形して軸線のずれを吸収することができ、排水主管や排水管に無理な力が加わることがなく、排水性が損なわれることもない。
【０００８】
さらに、前記弾性伸縮部は、保持筒側弾性部の先端部に形成したラッパ状の拡径部と、装着筒側弾性部の先端部に形成したラッパ状の拡径部とを連結して形成され、短縮時には、前記保持筒側弾性部の内周面が、前記装着筒側弾性部の内周面に沿うように弾性変形して、前記保持筒側弾性部が前記装着筒側弾性部の内側に収容されるとともに、弾性変形した前記保持筒側弾性部の内側に前記保持筒が収容されることから、保持筒内に排水管の下端部を挿入した後、排水管を床下に押し込むだけで弾性伸縮部が簡単に短縮し、排水主管と排水管の接続作業を容易に行うことができる。また、拡径部の弾性変形によって、排水主管と排水管の軸線のずれを吸収することができる。
【発明を実施するための最良の形態】
【０００９】
以下、本発明の一形態例を図面に基づいて詳しく説明する。図１は本発明の一形態例を示す管継手の断面正面図、図２は平面図、図３は排水主管に管継手を装着した状態の説明図、図４は弾性伸縮部を伸長して排水管を保持筒に接続する状態の説明図、図５は管継手を介して排水主管と排水管とを接続した状態の説明図、図６は管継手を介して接続した排水主管と排水管とを建物へ設置した状態を示す概略図である。
【００１０】
本形態例に示す管継手１１は、建物５１の基礎５２に配設された排水主管１２と、建物５１の床上に配設される水回り設備５３の排水管１３とを床下で接続するもので、排水主管１２の施工時に排水主管１２の上端部にあらかじめ取り付けられる。排水主管１２は、基礎５２に水平方向に配設され、先端部を基礎５２から建物５１側へ垂直に立ち上げている。排水管１３は、上端部が前記水回り施設５３に接続され、下端部は、床上で前記管継手１１に接続され、床５４に設けた排水管挿通孔５４ａから床下に差し込まれる。
【００１１】
管継手１１は、排水主管１２の上端部に連結される排水主管装着部材１４と、排水管１３の下端部を連結する排水管接続部材１５とを有している。排水主管装着部材１４は、硬質樹脂、例えば、塩化ビニル等の硬質合成樹脂で形成されており、排水主管１２の上端部が挿入される受口からなる小径筒部１４ａと、該小径筒部１４ａの上部に拡開筒部１４ｂを介して連設された大径筒部１４ｃとを一体に備えている。
【００１２】
排水管接続部材１５は、弾性を有する軟質樹脂、例えば合成ゴム等で形成されており、前記大径筒部１４ｃの外径よりも僅かに大きい内径を有する装着筒１５ａと、排水管１３の外径に対応した内径を有する保持筒１５ｂと、装着筒１５ａと保持筒１５ｂとを連結し、床下上下方向に伸縮可能な環状の弾性伸縮部１５ｃとを備えている。装着筒１５ａの外周には、締結用のバンド１６を装着するためのバンド装着部が設けられている。
【００１３】
保持筒１５ｂは、前記小径筒部１４ａと同軸上に形成され、内径が前記排水管１３の外径よりも僅かに大きく形成され、外周には補強用の環状リブ１５ｄが形成されている。
【００１４】
弾性伸縮部１５ｃは、保持筒１５ｂに連続し、上方に向かってラッパ状に拡開した拡径部１５ｅを備えた保持筒側弾性部１５ｆと、装着筒１５ａに連続し、下方に向かってラッパ状に拡開した拡径部１５ｇを備えた装着筒側弾性部１５ｈとを、両拡径部１５ｅ，１５ｇの端面を付き合わせて連結することにより形成される。弾性伸縮部１５ｃは、管継手１１を排水主管１２に装着した後、伸長させた時に、保持筒１５ｂが床上に突出可能な長さに形成されるとともに、縮めた時には、保持筒側弾性部１５ｆが装着筒側弾性部１５ｈの内周面に沿うように弾性変形し、保持筒側弾性部１５ｆが装着筒側弾性部１５ｈの内側に収容されるとともに、弾性変形した保持筒側弾性部１５ｆの内側に保持筒１５ｂが収容される。
【００１５】
そして、排水主管装着部材１４の大径筒部１４ｃを排水管接続部材１５の装着筒１５ａ内に挿入し、装着筒１５ａの外周をバンド１６，１６で締め付けることにより、排水主管装着部材１４と排水管接続部材１５とが一体化して管継手１１が形成され、排水管接続部材１５は、上記の短縮した状態で装着されている。この管継手１１は、基礎５２から所定位置に立ち上げられた排水主管１２の上端部を小径筒部１４ａ内に挿入し、接着剤等で固定することによって排水主管１２の上端部に取り付けられる。
【００１６】
床５４には、管継手１１の上方位置に排水管挿通孔５４ａが形成され、床５４の施工が完了した後に、洗面台やシステムキッチン等の水回り設備５３が搬入される。水回り設備５３の排水管１３を管継手１１に接続させる際には、作業者は、床５４の排水管挿通孔５４ａから床下に手を差し入れて、保持筒１５ｂを掴んで保持筒１５ｂを床上に引っ張り上げる。この時、弾性伸縮部１５ｃは、保持筒１５ｂの上昇に伴って保持筒側弾性部１５ｆ及び装着筒側弾性部１５ｈが弾性変形し、保持筒側弾性部１５ｆが装着筒側弾性部１５ｈの上部に立ち上がるとともに、保持筒１５ｂが保持筒側弾性部１５ｆの上部に立ち上がって床上に突出する。床上に突出した保持筒１５ｂに、排水管１３の下端部を挿入し、保持筒１５ｂの外周をバンド１７で締め付けて排水管１３を固定する。次いで、排水管１３を排水管挿通孔５４ａを通して床下の排水主管装着部材１４側へ押し込むことにより、保持筒側弾性部１５ｆ及び装着筒側弾性部１５ｈが弾性変形し、保持筒側弾性部１５ｆが装着筒側弾性部１５ｈの内周面に沿う前記初期の形状に復元し、保持筒側弾性部１５ｆが装着筒側弾性部１５ｈの内側に収容されるとともに、保持筒１５ｂが弾性変形した保持筒側弾性部１５ｆの内側に収容され、排水管１３と排水主管１２とが管継手１１を介して接続された状態となる。
【００１７】
このような管継手１１を用いることにより、排水主管１２と排水管１３との接続作業は、弾性伸縮部１５ｃを伸長させて床上に配置させた保持筒１５ｂに排水管１３の下端部を挿入し、該排水管１３を排水管挿通孔５４ａを通して床上から床下の排水主管装着部材１４側に押し込むだけでよく、床上から簡単に作業をすることができる。また、排水主管１２の立ち上げ位置と、排水管１３の床下差し入れ位置とが設定位置からずれて、排水主管１２の中心軸と排水管１３の中心軸とが一致しないことがあっても、管継手１１の弾性伸縮部１５ｃの弾性変形によって保持筒１５ｂが適度に移動したり、傾斜したりするので、排水管１３を管継手１１に確実に接続することができ、排水主管１２や排水管１３に大きな応力が掛かることもない。また、保持筒１５ｂの外周に環状リブ１５ｄを設けたことにより、保持筒１５ｂの補強が図れるとともに、保持筒１５ｂに排水管１３を挿入する際に、環状リブ１５ｄで保持筒１５ｂを支えながら、排水管１３をスムーズに挿入させることができる。
【００１８】
なお、本発明の弾性伸縮部は上述の形状に限るものではなく、蛇腹状に形成することもできる。
【図面の簡単な説明】
【００１９】
【図１】本発明の一形態例を示す管継手の断面正面図である。
【図２】同じく平面図である。
【図３】同じく排水主管に管継手を装着した状態の説明図である。
【図４】同じく弾性伸縮部を伸長して排水管を保持筒に接続する状態の説明図である。
【図５】同じく管継手を介して排水主管と排水管とを接続した状態の説明図である。
【図６】同じく管継手を介して接続した排水主管と排水管とを建物へ設置した状態を示す概略図である。
【符号の説明】
【００２０】
１１…管継手、１２…排水主管、１３…排水管、１４…排水主管装着部材、１４ａ…小径筒部、１４ｂ…拡開筒部、１４ｃ…大径筒部、１５…排水管接続部材、１５ａ…装着筒、１５ｂ…保持筒、１５ｃ…弾性伸縮部、１５ｄ…環状リブ、１５ｅ，１５ｇ…拡径部、１５ｆ…保持筒側弾性部、１５ｈ…装着筒側弾性部、１６，１７…バンド、５１…建物、５２…基礎、５３…水回り設備、５４…床、５４ａ…排水管挿通孔
【図１】
2006329285.tif 000003
【図２】
2006329285.tif 000004
【図３】
2006329285.tif 000005
【図４】
2006329285.tif 000006
【図５】
2006329285.tif 000007
【図６】
2006329285.tif 000008